(57)【要約】【課題】  本発明はバレル内より処理物をバレルを、回転させながら外部へ取り出すことができ、ショットブラスト装置のケース体を必要以上に大きくしたり、バレルの駆動装置の強度を必要以上に大きく設定することのないショットブラスト装置用取り出し具を得るにある。【解決手段】  支持台と、この支持台に取付けられた先端部が大型のショットブラスト装置のバレルの投入口より内部に位置して、該バレルの回転によって上方へ移動して、落下してくる処理物を受け取り、該バレルの外側下方へ導くシューターとでショットブラスト装置用取り出し具を構成している。【選択図】  図１
2015062962.tif 000002
【特許請求の範囲】
【請求項１】
支持台と、この支持台に取付けられた先端部が大型のショットブラスト装置のバレルの投入口より内部に位置して、該バレルの回転によって上方へ移動して、落下してくる処理物を受け取り、該バレルの外側下方へ導くシューターとからなることを特徴とするショットブラスト装置用処理物取り出し具。
【請求項２】
支持台には移動が容易にできるキャスターと、シューターから落下してくる処理物を収納する収納容器を支持することができる支持部が設けられていることを特徴とする請求項１記載のショットブラスト装置用処理物取り出し具。
【請求項３】
シューターはチャンネル状の部材をヘ字状に曲げた形状に形成されていることを特徴とする請求項１記載のショットブラスト装置用処理物取り出し具。
【発明の詳細な説明】
【技術分野】
【０００１】
本発明は大型ショットブラスト装置のバレルから処理物を取り出す場合に使用されるショットブラスト装置用処理物取り出し具に関する。
【背景技術】
【０００２】
従来のショットブラスト装置は、小さな成型品に付着している微細なバリを除去する場合に使用されている。
【０００３】
しかしながら、最近、大きな成型品に付着しているバリを除去するのに使用したいという話があり、この対策としてり従来約１０ｋｇだったバレルを約２６ｋｇぐらいの大きなバレルを使用したり、投射材、投射機の大型化で対応するショットブラスト装置が考えられているが、このような大きなバレルを使用すると、該バレルを開閉扉側に回動してバレル内より処理した処理物を取り出すには十分な強度が得られる設計変更が必要となり、コスト高になるという欠点があった。
【０００４】
また、大きなバレルを用いるとともに、該バレルを内部の処理物を取り出すために回動させるスペースが必要となり、さらに大型化するという欠点があった。
【先行技術文献】
【特許文献】
【０００５】
【特許文献１】特開２０１３−８６２１５号公報
【発明の概要】
【発明が解決しようとする課題】
【０００６】
本発明は以上のような従来の欠点に鑑み、バレル内より処理物を、バレルを回転させながら外部へ取り出すことができ、ショットブラスト装置のケース体を必要以上に大きくしたり、バレルの駆動装置の強度を必要以上に大きく設定することのないショットブラスト装置用取り出し具を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は支持台と、この支持台に取付けられた先端部がショットブラスト装置のバレルの投入口より内部に位置して、該バレルの回転によって上方へ移動して、落下してくる処理物を受け取り、該バレルの外側下方へ導くシューターとでショットブラスト装置用取り出し具を構成している。
【発明の効果】
【０００９】
以上の説明から明らかなように、本発明にあっては次に列挙する効果が得られる。
（１）請求項１により、ショットブラスト装置のバレルをバリ取りのための回転駆動させた状態で、ケース体の開閉扉を開放し、シューターの先端部をバレル内へ挿入することで、バレル内の処理物をシューターを介して外部へ取り出すことができる。
したがって、簡単に大型バレル内の処理物を楽に取り出すことができる。
（２）前記（１）によって、シューターの先端部をバレル内へ挿入するだけでよく、その操作が楽に短時間に行なうことができる。
（３）前記（１）によって、バレルはバリ取りのための回転だけでよく、処理物を取り出すための回動が不要で、ケース体を必要以上に大きくしたり、駆動装置の強度を必要以上に大きくしなくてもよく、容易に設置して使用することができる。
（４）請求項２も前記（１）〜（３）と同様な効果が得られるとともに、移動が容易で、バレルから取り出した処理物を支持部に設置した収納容器へ自動的に回収することができる。
（５）請求項３も前記（１）〜（３）と同様な効果が得られるとともに、チャンネル状のシューターへ導かれた処理物が目的外へ移動するのを確実に防止することができる。
【図面の簡単な説明】
【００１０】
【図１】本発明を実施するための第１の形態の使用状態の正面図。
【図２】本発明を実施するための第１の形態の使用状態の側面図。
【図３】本発明を実施するための第１の形態の側面図。
【図４】本発明を実施するための第１の形態の正面図。
【図５】本発明を実施するための第１の形態の平面図。
【図６】本発明を実施するための第２の形態の使用状態の正面図。
【図７】本発明を実施するための第２の形態の使用状態の側面図。
【図８】本発明を実施するための第２の形態の側面図。
【図９】本発明を実施するための第３の形態の正面図。
【発明を実施するための形態】
【００１１】
以下、図面に示す本発明を実施するための形態により、本発明を詳細に説明する。
【００１２】
図１ないし図５に示す本発明を実施するための第１の形態において、１は大型のショットブラスト装置２の大型のバレル３内から、該大型のバレル３でバリを除去した処理物４を外方へ取り出す本発明のショットブラスト装置用処理物取り出し具で、このショットブラスト装置用処理物取り出し具１は底面の四隅部に移動が容易にできるようにキャスター５、５、５、５が取付けられ、上部に処理物４を収納することができる収納容器６を支持することができる支持部７が形成された支持台８と、この支持台８の一端部に下端部が固定された支柱９と、この支柱９の上端部に中央部寄りの底面が固定された、先端部が前記大型 ショットブラスト装置２の大型のバレル３の投入口１０より内部へ位置させることができるシューター１１とで構成されている。
【００１３】
前記シューター１１はチャンネル状の部材をヘ字状に曲げた形状に形成されたものが使用され、必要に応じて底面に振動発生機２９が取り付けられている。
【００１４】
前記大型のショットブラスト装置２は、上部に上部開閉扉１２を備えたブラスト処置室１３、下部に下部開閉扉１４を備えた投射材処理室１５が形成されたケース体１６と、このケース体１６のブラスト処理室１３内に、前記上部開閉扉１２側に投入口１０が位置するように、回転駆動装置１７で回転されるように取付けられた、重さが約２６ｋｇ程の大型のバレル３と、この大型のバレル３内へ収納したバリ取り成型品等の処理物４へ投射材１８を投射できるように、前記ケース体１６の上部に取付けられたインペラー１９を用いた投射機２０と、前記ブラスト処理室１３と前記投射材処理室１５とを仕切るホッパー２１の下部の投射材処理室１５に設けられた大バリ、投射材、小バリとに選別する選別装置２２と、この選別装置２２で選別された投射材１８を供給する、該部より前記投射機２０へ吸引ホース２３を介して供給できる投射材貯槽２４と、前記選別装置２２で選別された大バリを収納する大バリ収納容器２５および、選別された小バリを収納する小バリ収納容器２６と、前記ブラスト処理室１３内へ冷媒を供給する冷媒供給装置２７とで構成されている。
【００１５】
上記構成のショットブラスト装置用処理物取り出し具１は、大型のショットブラスト装置２の大型のバレル３内でバリが除去された大型成型品の処理物４はブラスト処理室１３の上部開閉扉１２を開放し、シューター１１の先端部が大型のバレル３の投入口１０より内部へ挿入位置させるとともに、支持台８の支持部７に収納容器６を位置させる。
【００１６】
しかる後、大型のバレル３を回転させることにより、大型のバレル３内の処理物４は、該大型のバレル３の回転によって上方へ押し上げられ、重力によって下方へ落下し、シューター１１上へ位置し、下方へ滑り落ちて収納容器６内へ収納される。対象物によっては、バレル内に攪拌板や返し板の付いた攪拌板２８を使用すると、対象物がシューター１１の上方より落下しやすくなり、効率的に処理物が取り出せる。また、振動発生機２９の駆動により、シューター１１に処理物４が滞留するのを確実に防止することができる。
【００１７】
大型のバレル３内の処理物４がなくなるとショットブラスト装置用処理物取り出し具１を移動させ、ショットブラスト装置２の大型のバレル３の投入口１０よりバリが付着した処理物４を投入し、ブラスト処理室１３の上部開閉扉１２を閉じ、冷媒供給装置２７でブラスト処理室１３内へ冷媒を供給して、投射機２０で投射材１８を大型のバレル３内へ投射して、バリが付着した処理物からバリを除去する一般的に行なわれている作業を行なう。
【００１８】
[発明を実施するための異なる形態]
次に、図６ないし図９に示す本発明を実施するための異なる形態につき説明する。なお、この本発明を実施するための異なる形態の説明に当って、前記本発明を実施するための第１の形態と同一構成部分には同一符号を付して重複する説明を省略する。
【００１９】
図６ないし図９に示す本発明を実施するための第２の形態において、前記本発明を実施するための第１の形態と主に異なる点は、シューター１１を持ち運ぶことができるとともに、収納容器６を支持することができない支持台８Ａに形成した点で、このように構成したショットブラスト装置用処理物取り出し具１Ａにしても、使用時に大型のバレル３内へシューター１１の先端部を持ち運んで位置させるとともに、シューター１１より処理物４が導かれる部分に収納容器６を置いて使用することにより、前記本発明を実施するための第１の形態と同様な作用効果が得られる。
【００２０】
なお、前記本発明の各実施の形態ではキャスターを用いて移動させたり、持ち運ぶことで移動させるものについて説明したが、本発明はこれに限らず。支持台８、８Ａを電動で移動させることができるようにしてもよい。
【産業上の利用可能性】
【００２１】
本発明は大型のショットブラスト装置の大型のバレルより処理物を取り出す場合に使用することができる大型のショットブラスト装置用処理物取り出し具を製造する産業で利用される。
【符号の説明】
【００２２】
１、１Ａ：ショットブラスト装置用処理物取り出し具、
２：大型のショットブラスト装置、
３：大型のバレル、      ４：処理物、
５：キャスター、      ６：収納容器、
７：支持部、        ８、８Ａ：支持台、
９：支柱、        １０：投入口、
１１：シューター、      １２：上部開閉扉、
１３：ブラスト処理室、    １４：下部開閉扉、
１５：投射材処理室、    １６：ケース体、
１７：回転駆動装置、    １８：投射材、
１９：インペラー、      ２０：投射機、
２１：ホッパー、      ２２：選別装置、
２３：吸引ホース、      ２４：投射材貯槽、
２５：大バリ収納容器、    ２６：小バリ収納容器、
２７：冷媒供給装置、          ２８：攪拌板、
２９：振動発生機。
【図１】
2015062962.tif 000003
【図２】
2015062962.tif 000004
【図３】
2015062962.tif 000005
【図４】
2015062962.tif 000006
【図５】
2015062962.tif 000007
【図６】
2015062962.tif 000008
【図７】
2015062962.tif 000009
【図８】
2015062962.tif 000010
【図９】
2015062962.tif 000011